(57)【要約】【課題】簡単な構造で、近距離観察時に調節値に合わせて輻輳値を補正することができ、また、輻輳値補正の高い双眼鏡を提供すること。【解決手段】本発明の双眼鏡１は、対物光学系２１Ｌ、２１Ｒ、正立光学系２２Ｌ、２２Ｒおよび接眼光学系２３Ｌ、２３Ｒを有する一対の観察光学系２Ｌ、２Ｒと、フォーカシング機構５と、フォーカシング機構５の作動に連動して輻輳値を補正する輻輳値補正機構とを備える。輻輳値補正機構は、一方の対物光学系２１Ｒを、両対物光学系２１Ｌ、２１Ｒの光軸Ｏ１Ｌ、Ｏ１Ｒ間距離が変化するように変位させることによって輻輳値を補正するように構成される。他方の対物光学系２１Ｌは、輻輳値補正のためには変位しない。【選択図】図１
2005309094.tif 000002
【特許請求の範囲】
【請求項１】
対物光学系、正立光学系および接眼光学系を有する一対の観察光学系と、
前記観察光学系の一部を移動させることによりフォーカシングを行うフォーカシング機構と、
前記フォーカシング機構の作動に連動して輻輳値を補正する輻輳値補正機構とを備えた双眼鏡であって、
前記輻輳値補正機構は、一方の前記対物光学系の全部または一部である対物変位要素を変位させることにより輻輳値を補正するように構成され、他方の前記対物光学系は、輻輳値補正のためには変位しないことを特徴とする双眼鏡。
【請求項２】
前記輻輳値補正機構は、前記対物変位要素と前記他方の対物光学系との光軸間距離が前記フォーカシング機構の作動に連動して変化するように前記対物変位要素を変位させる請求項１に記載の双眼鏡。
【請求項３】
前記輻輳値補正機構は、前記対物変位要素をその光軸に平行な直線を中心として回動させることによって前記対物変位要素と前記他方の対物光学系との光軸間距離を変化させる請求項２に記載の双眼鏡。
【請求項４】
前記フォーカシング機構は、前記両対物光学系の全部または一部を移動させることによってフォーカシングを行うように構成されており、
前記輻輳値補正機構は、前記フォーカシング機構の作動によって前記対物変位要素が移動するのに伴って前記対物変位要素が前記直線を中心として回動するように案内する部分を有する案内手段で構成されている請求項３に記載の双眼鏡。
【請求項５】
前記案内手段は、前記対物光学系の光軸に平行に設置され、前記対物変位要素の回動中心となるガイド軸と、前記対物光学系の光軸に対し傾斜した方向に沿って延びる傾斜部を少なくとも一部に有するガイドレールと、前記対物変位要素を保持するレンズ枠に設けられ、前記ガイドレールに係合する係合部とを有し、
前記係合部が前記ガイドレールの傾斜部に係合した状態では、前記フォーカシング機構の作動によって前記対物変位要素が移動するのに伴って前記対物変位要素が前記ガイド軸を中心として回動する請求項４に記載の双眼鏡。
【請求項６】
前記観察光学系は、前記接眼光学系の、前記正立光学系に対する入射側光軸と射出側光軸とで所定の段差を有し、
前記両対物光学系を収納する、一体となった本体と、
左側の前記入射側光軸を中心として前記本体に対し回動可能に設置され、左側の前記接眼光学系および前記正立光学系を収納する左鏡体と、
右側の前記入射側光軸を中心として前記本体に対し回動可能に設置され、右側の前記接眼光学系および前記正立光学系を収納する右鏡体とをさらに備え、
前記本体に対し前記左鏡体および前記右鏡体を回動させることより前記両接眼光学系の前記射出側光軸間距離を調整可能である請求項１ないし５のいずれかに記載の双眼鏡。
【発明の詳細な説明】
【技術分野】
【０００１】
本発明は、双眼鏡に関する。
【背景技術】
【０００２】
一般的な双眼鏡で無限遠を観察した場合、左眼に見える観察視野と右眼に見える観察視野はほぼ完全に重なり、両眼で一つの観察視野に見える。その双眼鏡で数ｍ以下の近距離を観察した場合、左眼と右眼の観察視野の重なる領域が一部しかなくなり、見づらく感じられる。これは一般的な双眼鏡では、主に無限遠〜数十ｍ先の対象を観察することを基本として、左右の対物レンズ光軸を平行に固定しているからであり、その双眼鏡で近距離を観察すると、対象に対する調節値（合焦対象までの距離、ディオプタ[dptr]=[1/メートル]）と「輻輳値」（左右の視線が交差する距離、メートル角[MW]=[1/メートル]）とがあまりにも大きく食い違ってしまうからである。対象を高い倍率で観察する双眼鏡の場合はこの食い違いの影響は顕著で、例えば１０倍の双眼鏡では、この食い違いも１０倍になるということであり、この大きな「調節値と輻輳値の食い違い」は眼に負担で、非常に疲れるのである（「輻輳」とは近距離の対象物を見ようとするときに両眼の視軸が集中することであり、その両視軸を挟む角度を「輻輳角」という）。
【０００３】
この問題に鑑み、双眼鏡で近距離を観察するときに両眼の負担を軽減すべく、下記特許文献１ないし３では、近距離を観察する場合に左・右両方の対物レンズを光軸と直交する方向にそれぞれ移動して互いに接近させることによって、調節値に合わせて輻輳値（輻輳角）を補正する機構を設けた双眼鏡が提案されている。
【０００４】
しかしながら、特許文献１ないし３に記載されたような双眼鏡では、対物レンズを光軸と直交する方向に移動させる移動機構を左・右両方の対物レンズに対してそれぞれ設ける必要があるので、構造が複雑になり、部品点数も大きく増加するので、製造コストが大幅に増大するという問題がある。
また、対物レンズが光軸と直交する方向に移動するときには、左・右の対物レンズが完全に連動（同期）して移動する必要があるので、精度維持が困難であり、製造が難しく、また、長期の使用による経時変化によって光学的精度が狂い易いという問題もある。
【０００５】
【特許文献１】特許第３０９０００７号公報
【特許文献２】特許第３１９６６１３号公報
【特許文献３】特許第３１８９３２８号公報
【発明の開示】
【発明が解決しようとする課題】
【０００６】
本発明の目的は、簡単な構造で、近距離観察時に調節値に合わせて輻輳値を補正することができ、また、輻輳値補正の高い双眼鏡を提供することにある。
【課題を解決するための手段】
【０００７】
このような目的は、下記（１）〜（６）の本発明により達成される。
（１）  対物光学系、正立光学系および接眼光学系を有する一対の観察光学系と、
前記観察光学系の一部を移動させることによりフォーカシングを行うフォーカシング機構と、
前記フォーカシング機構の作動に連動して輻輳値を補正する輻輳値補正機構とを備えた双眼鏡であって、
前記輻輳値補正機構は、一方の前記対物光学系の全部または一部である対物変位要素を変位させることにより輻輳値を補正するように構成され、他方の前記対物光学系は、輻輳値補正のためには変位しないことを特徴とする双眼鏡。
【０００８】
これにより、近距離を観察するときであっても、輻輳値補正がなされることにより、左眼で見た観察像と右眼で見た観察像とのズレが防止され、見易く快適に観察することができる。
また、輻輳値補正機構を片側の対物光学系に対してのみ設ければよく、もう一方の対物光学系に対しては輻輳値補正機構を設ける必要がないので、構造が簡単で、部品点数を削減することができ、製造コストを削減することができる。
また、可動部品が減るので、より高精度に輻輳値補正を行うことができる。また、長期間使用した場合であっても、故障するおそれが少ない。
さらに、両方の対物光学系を変位させて輻輳値補正をする場合には左右の対物光学系の変位が完全に連動（同期）する必要があり、その精度を確保するのが困難であるが、本発明では、そのような左右の連動の問題が生じず、よって、より高精度に輻輳値補正を行うことができる。
【０００９】
（２）  前記輻輳値補正機構は、前記対物変位要素と前記他方の対物光学系との光軸間距離が前記フォーカシング機構の作動に連動して変化するように前記対物変位要素を変位させる上記（１）に記載の双眼鏡。
これにより、より簡単な構造で輻輳値補正機構を構成することができる。
【００１０】
（３）  前記輻輳値補正機構は、前記対物変位要素をその光軸に平行な直線を中心として回動させることによって前記対物変位要素と前記他方の対物光学系との光軸間距離を変化させる上記（２）に記載の双眼鏡。
これにより、さらに簡単な構造で輻輳値補正機構を構成することができる。
【００１１】
（４）  前記フォーカシング機構は、前記両対物光学系の全部または一部を移動させることによってフォーカシングを行うように構成されており、
前記輻輳値補正機構は、前記フォーカシング機構の作動によって前記対物変位要素が移動するのに伴って前記対物変位要素が前記直線を中心として回動するように案内する部分を有する案内手段で構成されている上記（３）に記載の双眼鏡。
【００１２】
これにより、極めて簡単な構造で輻輳値補正機構を構成することができるとともに、より高精度に輻輳値を補正することができる。
【００１３】
（５）  前記案内手段は、前記対物光学系の光軸に平行に設置され、前記対物変位要素の回動中心となるガイド軸と、前記対物光学系の光軸に対し傾斜した方向に沿って延びる傾斜部を少なくとも一部に有するガイドレールと、前記対物変位要素を保持するレンズ枠に設けられ、前記ガイドレールに係合する係合部とを有し、
前記係合部が前記ガイドレールの傾斜部に係合した状態では、前記フォーカシング機構の作動によって前記対物変位要素が移動するのに伴って前記対物変位要素が前記ガイド軸を中心として回動する上記（４）に記載の双眼鏡。
【００１４】
これにより、極めて簡単な構造で輻輳値補正機構を構成することができるとともに、より高精度に輻輳値を補正することができる。
【００１５】
（６）  前記観察光学系は、前記接眼光学系の、前記正立光学系に対する入射側光軸と射出側光軸とで所定の段差を有し、
前記両対物光学系を収納する、一体となった本体と、
左側の前記入射側光軸を中心として前記本体に対し回動可能に設置され、左側の前記接眼光学系および前記正立光学系を収納する左鏡体と、
右側の前記入射側光軸を中心として前記本体に対し回動可能に設置され、右側の前記接眼光学系および前記正立光学系を収納する右鏡体とをさらに備え、
前記本体に対し前記左鏡体および前記右鏡体を回動させることより前記両接眼光学系の前記射出側光軸間距離を調整可能である上記（１）ないし（５）のいずれかに記載の双眼鏡。
【００１６】
これにより、輻輳値をより高精度に補正できると共に、双眼鏡のさらなる小型化が図れる。
【発明の効果】
【００１７】
本発明によれば、近距離を観察するときであっても、輻輳値補正がなされることにより、左眼で見た観察像と右眼で見た観察像とのズレが防止され、見易く快適に観察することができる。
【００１８】
また、輻輳値補正機構を片側の対物光学系に対してのみ設ければよく、もう一方の対物光学系に対しては輻輳値補正機構を設ける必要がないので、構造が簡単で、部品点数を削減することができ、製造コストを削減することができる。
【００１９】
また、可動部品が減るので、より高精度に輻輳値補正を行うことができる。また、長期間使用した場合であっても、故障するおそれが少ない。
【００２０】
さらに、両方の対物光学系を変位させて輻輳値補正をする場合には左右の対物光学系の変位が完全に連動（同期）する必要があり、その精度を確保するのが困難であるが、本発明では、そのような左右の連動の問題が生じず、よって、より高精度に輻輳値補正を行うことができる。
【発明を実施するための最良の形態】
【００２１】
以下、本発明の双眼鏡を添付図面に示す好適な実施形態に基づいて詳細に説明する。
図１、図２および図３は、それぞれ、本発明の実施形態の双眼鏡が無限遠の観察対象物に対して合焦したときの状態（以下、「無限遠合焦状態」と言う）を示す断面平面図、断面側面図および断面正面図、図４、図５および図６は、それぞれ、本発明の実施形態の双眼鏡が最近距離の観察対象物に対して合焦したときの状態（以下、「最近距離合焦状態」と言う）を示す断面平面図、断面側面図および断面正面図である。なお、本明細書では、図１中の上側および図２中の左側を「前」、図１中の下側および図２中の右側を「後」とし、また、図２および図３中の上側を「上」、下側を「下」として説明する。
【００２２】
図１に示すように、双眼鏡１は、左眼用の観察光学系２Ｌと、右眼用の観察光学系２Ｒと、これらの光学系を収納するケーシングとなる本体３、左鏡体４Ｌおよび右鏡体４Ｒと、観察対象物の距離に合わせてフォーカシング（合焦）を行うためのフォーカシング機構５とを有している。
【００２３】
観察光学系２Ｌ、２Ｒは、それぞれ、対物光学系２１Ｌ、２１Ｒと、正立光学系２２Ｌ、２２Ｒと、接眼光学系２３Ｌ、２３Ｒとを有している。この観察光学系２Ｌ、２Ｒにおける正立光学系２２Ｌ、２２Ｒはポロプリズムで構成されている。これにより、接眼光学系２３Ｌ、２３Ｒの、正立光学系２２Ｌ、２２Ｒに対する入射側光軸Ｏ２１Ｌ、Ｏ２１Ｒと射出側光軸Ｏ２２Ｌ、Ｏ２２Ｒとの間には所定の段差（間隔）が形成されている。なお、無限遠合焦状態のときには、対物光学系２１Ｌ、２１Ｒの光軸Ｏ１Ｌ、Ｏ１Ｒは、入射側光軸Ｏ２１Ｌ、Ｏ２１Ｒに一致する。
【００２４】
両対物光学系２１Ｌ、２１Ｒは、共に、一体となった（一つの）本体３に設置されている。これに対し、左側の接眼光学系２３Ｌおよび正立光学系２２Ｌと、右側の接眼光学系２３Ｒおよび正立光学系２２Ｒとは、左鏡体４Ｌと右鏡体４Ｒとに分かれて設置されている。本体３、左鏡体４Ｌおよび右鏡体４Ｒは、それぞれ、１部品で構成されていてもよく、複数の部品を組み合わせて構成されていてもよい。
【００２５】
左鏡体４Ｌ、右鏡体４Ｒは、それぞれ、入射側光軸Ｏ２１Ｌ、Ｏ２１Ｒを中心として本体３に対し所定角度範囲で回動可能に連結されており、また、その範囲では任意の状態で摩擦によりその状態を保持することができるようになっている。
【００２６】
左鏡体４Ｌ、右鏡体４Ｒを本体３に対し互いに反対回りに回動させることによって、両接眼光学系の２３Ｌ、２３Ｒの射出側光軸Ｏ２２Ｌ、Ｏ２２Ｒ間距離、すなわち眼幅を調整することができる。なお、双眼鏡１には、左鏡体４Ｌ、右鏡体４Ｒを互いに反対回りに連動させる図示しない連動機構が設けられているのが好ましい。
【００２７】
図示の構成では、本体３の前方に開口する窓部には、カバーガラス１２が設置されている。これにより、ゴミ、ホコリなどが本体３内に侵入するのを防止することができる。このカバーガラス１２は、なくてもよい。
【００２８】
鏡体４Ｌ、４Ｒの後端部には、それぞれ、目当て部材１３Ｌ、１３Ｒが接眼光学系２３Ｌ、２３Ｒと同心的に設置されている。目当て部材１３Ｌ、１３Ｒは、光軸Ｏ２Ｌ、Ｏ２Ｒ方向に変位可能になっており、図１等に示す収納状態から、後方へ引き出した状態（図示せず）へ移動可能になっている。使用者は、眼鏡着用の有無や、顔の彫りの深さの違いなどに応じ、目当て部材１３Ｌ、１３Ｒの位置を自分に合わせて調整し、目当て部材１３Ｌ、１３Ｒの後端面に目の周囲または眼鏡を当てた状態で接眼光学系２３Ｌ、２３Ｒを覗く。これにより、使用者は、目をアイポイント（かげらずに全視野が見られる位置）に安定的に置くことができる。
【００２９】
対物光学系２１Ｌ、２１Ｒは、本体３内で移動可能になっており、フォーカシング機構５の作動によって移動する。
【００３０】
対物光学系２１Ｌは、レンズ枠６Ｌに保持されている。本体３内のレンズ枠６Ｌが移動する空間の内周面３４は円筒状をなしており、この内周面３４上をレンズ枠６Ｌの外周面が摺動することにより、左側の対物光学系２１Ｌは、光軸Ｏ１Ｌ方向に直進案内される。
【００３１】
図２および図３に示すように、本体３には、右側の対物光学系２１Ｒの移動を案内する案内手段として、ガイド軸１１と、ガイド溝（ガイドレール）３１とが設けられている。
【００３２】
ガイド軸１１は、真直な棒で構成されており、光軸Ｏ１Ｌ、Ｏ１Ｒに平行な姿勢で対物光学系２１Ｒの上側に設置されている。図３に示すように、対物光学系２１Ｒを保持するレンズ枠６Ｒの上方に形成された突出部６１Ｒには、ガイド軸１１を挿通する孔が形成されている。これにより、対物光学系２１Ｒは、ガイド軸１１に沿って移動可能であるとともに、ガイド軸１１を中心として回動可能になっている。
【００３３】
ガイド溝３１は、本体３内のレンズ枠６Ｒが移動する空間の下側の内壁に形成されている。レンズ枠６Ｒの下方には、ガイド溝３１に挿入する突起（係合部）６２が形成されている。対物光学系２１Ｒがガイド軸１１に沿って移動すると、突起６２は、ガイド溝３１に沿って移動する。
【００３４】
図１に示すように、フォーカシング機構５は、操作部としての転輪（ピントリング）５１と、転輪５１に伴って回転する転輪軸５２と、羽根５３とを有している。転輪５１および転輪軸５２は、平面視で両観察光学系２Ｌ、２Ｒの間に位置しており、本体３に回転可能に支持されている。羽根５３は、転輪軸５２の外周面に形成された雄ネジに螺合する雌ネジを有する基部５３１と、基部５３１から左右へそれぞれ突出する腕５３２Ｌ、５３２Ｒとを有している。腕５３２Ｌ、５３２Ｒの先端部は、レンズ枠６Ｌ、６Ｒの突出部６１Ｌ、６１Ｒに形成された溝に挿入されている。
【００３５】
転輪５１を所定方向に回転させると、基部５３１が転輪軸５２に沿って前進し、この力が腕５３２Ｌ、５３２Ｒを介してレンズ枠６Ｌ、６Ｒに伝達され、対物光学系２１Ｌ、２１Ｒが前方へせり出していく。また、転輪５１を前記所定方向と反対に回転させると、対物光学系２１Ｌ、２１Ｒが後方へ引っ込んでいく。このようなフォーカシング機構５の作動により、フォーカシングを行うことができる。
【００３６】
図１ないし図３に示す無限遠合焦状態においては、対物光学系２１Ｌ、２１Ｒは、後方に引っ込んだ状態になっている。
【００３７】
これに対し、図４ないし図６に示す最近距離合焦状態は、対物光学系２１Ｌ、２１Ｒが前方へ最大にせり出した状態であり、この状態において双眼鏡１の最短ピント合わせ距離が得られる。最短ピント合わせ距離は、特に限定されないが、次に述べるように本発明の双眼鏡１は輻輳値補正機構を備えていて近距離観察にも適しているので、０．３〜１ｍ程度と比較的短いことが望ましい。
【００３８】
双眼鏡１は、フォーカシング機構５の作動に連動して対物光学系２１Ｌ、２１Ｒの光軸Ｏ１Ｌ、Ｏ１Ｒ間距離を変化させることにより輻輳値を補正する輻輳値補正機構を有している。本実施形態では、輻輳値補正機構は、前述したガイド軸１１と、ガイド溝３１と、突起６２とで構成されている。以下、双眼鏡１における輻輳値の補正について説明する。
【００３９】
図４に示すように、ガイド溝３１は、対物光学系２１Ｌ、２１Ｒの光軸Ｏ１Ｌ、Ｏ１Ｒに対し傾斜した方向に沿って延びる傾斜部３１１と、傾斜部３１１の後方に連続して形成され、光軸Ｏ１Ｌ、Ｏ１Ｒに平行に延びる平行部３１２とを有している。傾斜部３１１は、前方に行くほど中央に近づくような向きに傾斜している。平行部３１２の途中個所の側方には、無限遠合焦状態における対物光学系２１Ｒあるいは突起６２の位置を示す指標３２が付されている。
【００４０】
突起６２が平行部３１２にあるときは、フォーカシング機構５が作動して対物光学系２１Ｌ、２１Ｒが移動しても、光軸Ｏ１Ｌ、Ｏ１Ｒ間距離は、変化しない。すなわち、無限遠合焦状態の付近では、輻輳値補正がかからないようになっている。比較的遠い距離のものを観察するときには、輻輳値補正は不要だからである。
【００４１】
これに対し、突起６２が傾斜部３１１にあるときは、フォーカシング機構５が作動して対物光学系２１Ｌ、２１Ｒが前進していくに従い、突起６２が傾斜部３１１に沿って中央に近づいていくので、対物光学系２１Ｒがガイド軸１１を中心として回動することにより、光軸Ｏ１Ｌ、Ｏ１Ｒ間距離が次第に小さくなっていき、輻輳値補正がかかる（図３および図６参照）。
【００４２】
このようにして輻輳値補正がかかることにより、近距離を観察するときであっても左眼で見た観察像と右眼で見た観察像とのズレが防止され、見易く快適に観察することができる。
【００４３】
輻輳値補正がかかり始めるときのピント合わせ距離（調節値）は、特に限定されないが、３〜５ｍ程度であるのが好ましい。ガイド溝３１における傾斜部３１１と平行部３１２との境界地点は、輻輳値補正がかかり始めるときのピント合わせ距離に対応した位置にされている。
【００４４】
本実施形態の双眼鏡１には、輻輳値補正によって対物光学系２１Ｒが変位するのに伴って生じる隙間から光（迷光）が入るの防止する遮光手段として、遮光板７１および隔壁３３が設けられている。
【００４５】
図４に示すように、遮光板７１は、レンズ枠６Ｒの右側の部分から突出するように設置されており、対物光学系２１Ｒとともに変位する。図６に示すように、この遮光板７１は、ほぼ三日月形をなしている。このような遮光板７１は、対物光学系２１Ｒが前方へせり出した状態のときに、対物光学系２１Ｒの外側に生じる隙間から迷光が観察光学系２Ｒに入るのを防止する。
【００４６】
図１に示すように、隔壁３３は、左側の対物光学系２１Ｌ（レンズ枠６Ｌ）が移動する空間と、右側の対物光学系２１Ｒ（レンズ枠６Ｒ）が移動する空間と隔てるように、本体３の内部に設けられている。この隔壁３３の右の側面は、前方へ行くほど中央に近づくように傾斜している。この隔壁３３は、対物光学系２１Ｒが後方へ引っ込んだ状態のときに、対物光学系２１Ｒの内側に生じる隙間から迷光が入るのを防止する。
【００４７】
本実施形態では、遮光板７１および隔壁３３を設けたことにより、迷光によるフレアの発生を防止することができるので、観察像のコントラストが低下するなどの弊害を防止することができ、双眼鏡１の良好な結像を保つことができる。
【００４８】
以上説明したように、本発明の双眼鏡１は、右側の対物光学系２１Ｒをガイド軸１１を中心に回転させてその光軸Ｏ１Ｒを横方向に移動させることによって輻輳値を補正するように構成されている。その一方で、左側の対物光学系２１Ｌは、フォーカシングのために光軸Ｏ１Ｌ方向には直進移動するものの、輻輳値補正のためには変位せず、光軸Ｏ１Ｌが横方向に移動することはない。
【００４９】
よって、本発明の双眼鏡１では、輻輳値補正機構（本実施形態ではガイド軸１１、ガイド溝３１および突起６２）は片側の対物光学系２１Ｒに対してのみ設けられており、もう一方の対物光学系２１Ｌに対しては輻輳値補正機構を設ける必要がないので、構造が簡単で、部品点数を削減することができ、製造コストを削減することができる。
【００５０】
また、輻輳値補正機構を片側の対物光学系２１Ｒに対してのみ設ければよいので、可動部品が減り、より高精度に輻輳値補正を行うことができる。また、長期間使用した場合であっても、故障するおそれが少ない。
【００５１】
さらに、両方の対物光学系を輻輳値補正のために変位させる場合には左右の対物光学系の変位が完全に連動（同期）する必要があり、その精度を確保するのが困難であるが、本発明では、そのような左右の連動の問題が生じず、よって、より高精度に輻輳値補正を行うことができる。
【００５２】
また、本実施形態では、対物光学系２１Ｒを回動させて光軸Ｏ１Ｌ、Ｏ１Ｒ間距離を変化させる対物回転構造をとったことにより、さらに構造が簡単となり、さらなる製造コストの低減が図れる。
【００５３】
以上、本発明の双眼鏡を図示の実施形態について説明したが、本発明は、これに限定されるものではなく、双眼鏡を構成する各部は、同様の機能を発揮し得る任意の構成のものと置換することができる。
【００５４】
また、図示の実施形態では、右側の対物光学系の変位によって輻輳値を補正するものであったが、左側の対物光学系の変位によって輻輳値を補正するようにしてもよい。
【００５５】
また、図示の実施形態では、対物光学系を１レンズ群（１群２枚）で構成し、フォーカシング動作によって移動するレンズ群と輻輳調節の為のレンズ群を完全に兼用させたが、例えば対物光学系がもっと多くのレンズ群で構成されるような場合には、フォーカシング群と輻輳補正群にそれぞれ別のレンズ群を充てたり、一部を兼用させるような構成にしてもよい。すなわち、片側の対物光学系の一部のレンズ群（対物変位要素）のみを輻輳値補正のために変位させる構成にしてもよい。また、フォーカシング動作を対物光学系以外に含まれる光学部材で行うことも理論上は可能である。
【００５６】
また、図示の実施形態では、片側の対物光学系を回動させることによって両対物光学系の光軸間距離を変化させる構成について説明したが、このような構成に限らず、片側の対物光学系（またはその一部）を光軸と直交する方向に平行移動させることによって両対物光学系の光軸間距離を変化させるような構成であってもよい。
【００５７】
さらに、両対物光学系の光軸間距離を変化させることによって輻輳値を補正する構成に限らず、片側の対物光学系の光軸を傾斜させるように片側の対物光学系（またはその一部）の向きを変化させることによって輻輳値を補正するような構成であってもよい。
【００５８】
また、本発明は、図示の実施形態のような形式の双眼鏡に限らず、両対物光学系の光軸間距離が両接眼光学系の光軸間距離に等しいダハプリズム双眼鏡や、両対物光学系の光軸間距離が両接眼光学系の光軸間距離より大きいツアイスタイプやボシュロムタイプ双眼鏡など、各種の双眼鏡に適用することができる。
【図面の簡単な説明】
【００５９】
【図１】本発明の実施形態の双眼鏡における無限遠合焦状態を示す断面平面図である。
【図２】本発明の実施形態の双眼鏡における無限遠合焦状態を示す断面側面図である。
【図３】本発明の実施形態の双眼鏡における無限遠合焦状態を示す断面正面図である。
【図４】本発明の実施形態の双眼鏡における最近距離合焦状態を示す断面平面図である。
【図５】本発明の実施形態の双眼鏡における最近距離合焦状態を示す断面側面図である。
【図６】本発明の実施形態の双眼鏡における最近距離合焦状態を示す断面正面図である。
【符号の説明】
【００６０】
１            双眼鏡
１１          ガイド軸
１２          カバーガラス
１３Ｌ、１３Ｒ  目当て部材
２Ｌ、２Ｒ    観察光学系
２１Ｌ、２１Ｒ  対物光学系
２２Ｌ、２２Ｒ  正立光学系
２３Ｌ、２３Ｒ  接眼光学系
３            本体
３１          ガイド溝
３１１        傾斜部
３１２        平行部
３２          指標
３３          隔壁
３４          内周面
４Ｌ          左鏡体
４Ｒ          右鏡体
５            フォーカシング機構
５１          転輪
５２          転輪軸
５３          羽根
５３１        基部
５３２Ｌ、５３２Ｒ  腕
６Ｌ、６Ｒ    レンズ枠
６１Ｌ、６１Ｒ  突出部
６２          突起
７１          遮光板
Ｏ１Ｌ、Ｏ１Ｒ、Ｏ２Ｌ、Ｏ２Ｒ  光軸
Ｏ２１Ｌ、Ｏ２１Ｒ  入射側光軸
Ｏ２２Ｌ、Ｏ２２Ｒ  射出側光軸
【図１】
2005309094.tif 000003
【図２】
2005309094.tif 000004
【図３】
2005309094.tif 000005
【図４】
2005309094.tif 000006
【図５】
2005309094.tif 000007
【図６】
2005309094.tif 000008